(57)【特許請求の範囲】
【請求項１】
制御ユニットと、複数のランプユニットを備えた表示装置であって、
制御ユニットは、ランプ発光輝度に対応するデューティ比に設定した高周波の指標パルス信号を生成して各ランプユニットに送信し、
ランプユニットは、受信した指標パルス信号の周期をＮ／Ｍ倍に変換した高周波の点滅パルス信号を生成する分周逓倍回路と、この点滅パルス信号によりランプを点滅駆動させて指標パルス信号のデューティ比に対応したランプ発光輝度とするランプ駆動回路と、分周逓倍回路の分周逓倍値（Ｎ／Ｍ）をランプユニットごとに可変設定する手段を備えた
表示装置。
【発明の詳細な説明】
【０００１】
【発明の属する技術分野】
この発明は、多数のランプが配列されているランプユニットを多数ならべて表示画面を構成するタイプの表示装置に関し、とくに、各ランプの発光輝度を可変制御する回路技術に関する。
【０００２】
【従来の技術】
多数のＬＥＤランプを行列配置したドットマトリクス型の表示装置が普及している。この種の表示装置のほとんどはダイナミック駆動方式を採用している。多数のＬＥＤランプはいくつかのグループに区分され、各グループのＬＥＤランプが順番に時分割駆動される。ある瞬間でみると、画面を構成する全部のドットのＬＥＤランプが駆動されているわけではなく、あるグループに属するＬＥＤランプのみが駆動されている。人間の目の残像効果に比して十分に高速に時分割駆動することで、画面全体が点灯しているように見える。
【０００３】
また各ＬＥＤランプの輝度変化はいわゆるデューティ制御方式によっている。ランプ駆動回路は、十分に高い周波数の点滅パルス信号に同期して十分に短い周期でＬＥＤランプを点滅駆動する。表示装置の輝度制御系は、点滅パルス信号のデューティ比を可変制御することで、ＬＥＤランプの発光輝度を変化させる。  ダイナミック駆動方式のドットマトリクス型の表示装置において、同時に点灯されるＬＥＤランプの数をＮ個とすると、このＮ個のランプは共通の点滅パルス信号によって点灯駆動される。
【０００４】
【発明が解決しようとする課題】
前述のように、Ｎ個のランプが共通の点滅パルス信号によって同時に点灯駆動されるので、当然ながら、それに見合った容量の電源装置が必要になる。Ｎ個のランプを駆動するパルス電流が重畳されて電源装置に流れるので、きわめて振幅の大きな方形波パルスとなる。そのため電源装置から高レベルの高周波雑音が生じることとなり、有害な雑音を外部に漏洩しないための十分な対策が必要となる。
【０００５】
この発明の目的は、多数のランプを同時に点灯駆動するとともにデューティ制御方式でランプの発光輝度を調整する表示装置において、ランプ駆動電力を時間的に平均化し、そのピーク値およびピーク持続時間をできるだけ低減するとともに、ランプを駆動する点滅パルス信号に起因する高周波雑音の輻射を低減することにある。
【０００６】
【課題を解決するための手段】
第１発明に係る表示装置は、制御ユニットと、複数のランプユニットを備えた表示装置であって、制御ユニットは、ランプ発光輝度に対応するデューティ比に設定した高周波の指標パルス信号を生成して各ランプユニットに送信し、ランプユニットは、受信した指標パルス信号の周期をＮ／Ｍ倍に変換した高周波の点滅パルス信号を生成する分周逓倍回路と、この点滅パルス信号によりランプを点滅駆動させて指標パルス信号のデューティ比に対応したランプ発光輝度とするランプ駆動回路と、分周逓倍回路の分周逓倍値（Ｎ／Ｍ）をランプユニットごとに可変設定する手段を備えたことを特徴とする。
【０００７】
第２発明に係る表示装置は、制御ユニットと、複数のランプユニットを備えた表示装置であって、制御ユニットは、ランプ発光輝度に対応する直流アナログ電圧値に設定した指標電圧信号を生成して各ランプユニットに送信し、ランプユニットは、振幅がほぼ一定の非方形波でランダムに周波数が変化する高周波ノイズ信号を発生するノイズ発生回路と、受信した指標電圧信号と高周波ノイズ信号とを電圧比較して指標電圧信号の電圧値に対応したデューティ比の高周波の点滅パルス信号を出力する電圧比較回路と、この点滅パルス信号によりランプを点滅駆動させて指標電圧信号の電圧値に対応したランプ発光輝度とするランプ駆動回路を備えたことを特徴とする。
【０００８】
【発明の実施の形態】
＝＝＝ランプユニットと表示画面＝＝＝
図１（ａ）に示すように、細長いポール型ハウジングに沿って１６個の高輝度ＬＥＤランプＬ１〜Ｌ１６を密な間隔で直線状に配列して１本のポール型ランプユニットＢｉを構成する。図示の例では、３２本のランプユニットＢ１〜Ｂ３２を用意し、これらを疎な間隔でほぼ平行に配設する。３２本のランプユニットＢ１〜Ｂ３２からなる飛び飛びの縦列が横に帯状に連なり、密な１６ドットの縦の並びと、疎な３２ドットの横の並びによる（１６×３２）ドット構成の飛び飛びドット列の物理的画面を構成する。この実施例での３２本のランプユニットＢ１〜Ｂ３２の配列間隔は、１本のランプユニットＢｉにおける各ＬＥＤランプの縦の間隔の約４倍としている。
【０００９】
図１（ａ）に示した飛び飛びドット列の物理的画面について、図１（ｂ）に示すように、疎な３２列の並びの列間隔部分にも各３本のドット列を仮想的に配置して、密な１６ドットの縦方向の並びとほぼ同等なドット密度とした（１６×１２５）ドット構成の均一的ドット分布の仮想的画面を想定する。つまり、隣り合う２本のランプユニットの間隔部分に３本のランプユニットが等間隔で並んでいるように仮定した画面のことを仮想的画面と称する。
【００１０】
＝＝＝スクロール表示の原理的動作＝＝＝
（１６×３２）ドット構成の飛び飛びドット列の物理的画面と、（１６×１２５）ドット構成の均一的ドット分布の仮想的画面と、この画面にスクロール表示しようとするビットマップ画像データの関係を図１（ｃ）に示している。図１（ｃ）の例では、「あいうえお」という５文字の画像を適当なスペースをあけて横方向にスクロール表示しようとしている。この例の文字フォントは（１６×１６）ドット構成である。
【００１１】
表示しようとする５文字分の画像データが文字間のスペースも含めて、１列が１６ドットで１行が１２５ドットのビットマップデータであるとする。この（１６×１２５）ドットの画像データを、図１（ｃ）に示すように、（１６×１２５）ドット構成の均一的ドット分布の仮想的画面に展開して表示するものとする。実際の表示制御としては、１２５列分の画像データの中から飛び飛びに選択した３２列分の画像データを３２本のランプユニットＢ１〜Ｂ３２に分配して、各列１６ドットのデータに従って各ランプユニットＢｉにおける１６個のランプＬ１〜Ｌ１６を制御駆動する。
【００１２】
１２５列分の画像データの中から３２列分の画像データを飛び飛びに選択して３２本のランプユニットＢ１〜Ｂ３２に分配する制御において、飛び飛び選択の列間隔は、前記仮想的画面に分散配列されている各ランプユニットＢ１〜Ｂ３２の配列間隔に対応して決まる。つまり図１の例では、画像データ中の４列ごとに１列を抽出して各ランプユニットＢ１〜Ｂ３２に分配する。
【００１３】
そして仮想的画面に展開するビットマップ画像データを行方向に移動させながら、前記のように飛び飛びに選択した画像データに従って各ランプユニットＢ１〜Ｂ３２の各ランプＬ１〜Ｌ１６を制御駆動するデータ処理を繰り返すことで、図１（ｃ）に例示するように、仮想的画面を観察する人の視覚残像効果により１列が１６ドットで１行が１２５ドットの密度のスクロールする画像を視認させる。
【００１４】
＝＝＝表示制御系の概要＝＝＝
この発明のシステムのデータ処理系の全体的な概要を図２に示している。システムの中枢となるコンピュータ１としては一般的なパソコンを利用できる。コンピュータ１の拡張バスに専用のデータ転送回路２を結合している。このデータ転送回路２と３２本のランプユニットＢ１〜Ｂ３２が伝送ケーブル３でデイジーチエーン接続されている。コンピュータ１のメインメモリ上にスクロール表示処理のための画像メモリ１１と転送バッファ１２が設定される。また、コンピュータ１のハードディスク装置１３にはスクロール表示の対象となる多数の画像データが蓄積されている。このコンピュータ１およびデータ転送回路２が前述の制御ユニットに相当する。また、図２では前述した電源ユニットについては表現を省略している。
【００１５】
ランプユニットＢｉは、１６ドット分のランプＬ１〜Ｌ１６を駆動するランプ駆動回路４と、コンピュータ１からの画像データを中継転送するとともに自分宛の画像データを取り込んでランプ駆動回路４に供給するデータ処理回路５とを備える。データ処理回路５には入力端コネクタＩＮと出力端コネクタＯＵＴがあり、伝送ケーブル３のプラグがこのコネクタにはめ込まれて、各要素がデイジーチエーン接続される。
【００１６】
＝＝＝データ転送回路２から送出される信号＝＝＝
ランプユニットＢｉにおけるランプ駆動回路４とデータ処理回路５の詳細を図３に示し、コンピュータ１のデータ転送回路２からデイジーチエーン接続された各ランプユニットＢ１〜Ｂ３２に流される画像データおよび同期信号のタイミング関係を図４に示している。
１つのランプユニットＢｉに含まれる１６個のランプＬ１〜Ｌ１６はそれぞれＲＧＢの集合ランプからなる多色発光可能なものである。この実施例では、ＲＧＢ各１ビットの合計３ビットのデータで１つのランプを駆動するものとする。ＲＧＢの３ビットのセットが１ドット分の画像データである。
【００１７】
データ転送回路２からは、点滅パルス信号ＢＣＫと、画像データと、ドット同期信号ＤＣＫと、ユニット同期信号ＵＣＫと、フレーム同期信号ＦＣＫとが送出される。ドット同期信号ＤＣＫの各クロックに同期して、１ドット分の３ビット並列の画像データが直列出力される。点滅パルス信号ＢＣＫは、たとえば１００ＫＨｚ程度の十分に高い周波数の方形波パルス信号であり、コンピュータ１のプログラム処理により点滅パルス信号ＢＣＫのデューティ比を可変制御することで、本表示装置の各ランプの発光輝度を調整する。
【００１８】
ランプユニットＢｉに分配すべき１６ドット分の画像データは連続して出力される。最初の１６ドット分の画像データが第１のランプユニットＢ１宛てのデータであり、続く１６ドット分の画像データが第２のランプユニットＢ２宛てのデータであり、さらに続く１６ドット分の画像データが第３のランプユニットＢ３宛てのデータである、という具合に順次画像データとドット同期信号ＤＣＫが出力される。
【００１９】
ドット同期信号ＤＣＫの１６クロックごとにユニット同期信号ＵＣＫの１クロックが出力される。つまりユニット同期信号ＵＣＫは、直列出力される画像データの１ユニット分＝１６ドット分の区切りに同期したクロックである。
この実施例では３２本のランプユニットＢ１〜Ｂ３２で物理的画面を構成している。データ転送回路２からは、３２本のランプユニットＢ１〜Ｂ３２に分配すべき１画面分＝３２ユニット分の画像データを出力開始するときに、フレーム同期信号ＦＣＫの１クロックが出力される。つまりフレーム同期信号ＦＣＫは、直列出力される画像データの１画面分＝３２ユニット分の区切りに同期したクロックである。
【００２０】
＝＝＝ランプユニットＢｉにおける制御系＝＝＝
図３に示すように、ランプユニットＢｉのランプ駆動回路４としては、１６個のランプＬ１〜Ｌ１６のそれぞれをＲＧＢの３ビットのデータで駆動するドライバ４１と、ドライバ４１に１６ドット分の画像データを与えるラッチ回路４２と、直列転送されてきた１６ドット分の画像データを取り込んで並列にしてラッチ回路４２に与えるシフトレジスタ４３とを備えている。
【００２１】
また図３に詳しく示す回路構成により、ランプユニットＢｉのデータ処理回路５は、コンピュータ１からの画像データを中継転送するとともに自分宛の画像データを取り込む。
前段から入力される画像データは遅延回路５１で若干遅延され、ドット同期信号ＤＣＫのタイミングでラッチ回路５２にサンプリングされることで波形整形とタイミング調整が施され、ランプ駆動回路４のシフトレジスタ４３のデータ入力となるとともに、後段に向けて出力される。
前段から入力されるドット同期信号ＤＣＫとフレーム同期信号ＦＣＫは、それぞれバッファ５８とバッファ５９を経て後段に向けて出力される。前段から入力されるユニット同期信号ＵＣＫは遅延回路６１で若干遅延され、ドット同期信号ＤＣＫのタイミングでラッチ回路６２にサンプリングされることで波形整形とタイミング調整が施され、この回路６１と６２を経たユニット同期信号ＵＣＫがアンドゲート５５を経て後段に向けて出力される。
【００２２】
前段からのフレーム同期信号ＦＣＫの立上りで２つのフリップフロップ５３と５４がリセットされる。前段からのユニット同期信号ＵＣＫの立上りで、２つのフリップフロップ５３と５４はそれぞれのＤ入力を読み込む。１段目のフリップフロップ５３のＤ入力は常時“１”であり、これのＱ出力が２段目のフリップフロップ５４のＤ入力となっている。
したがって、フレーム同期信号ＦＣＫでリセットされてから、最初のユニット同期信号ＵＣＫが入力された時点で、フリップフロップ５３はセットされ（Ｑ出力が“１”となる）、フリップフロップ５４はリセットのままである。
続いて２発目のユニット同期信号ＵＣＫが入力されると、フリップフロップ５４もセットされて、そのＱ出力が“１”となる。フリップフロップ５３と５４は一度セットされると、つぎのフレーム同期信号ＦＣＫが入力されるまでセットされたままである。
【００２３】
前段からのユニット同期信号ＵＣＫは、アンドゲート５５を経て後段に出力される。このアンドゲート５５にはフリップフロップ５４のＱ出力がゲート信号として印加されている。フリップフロップ５４は、前記のように、フレーム同期信号ＦＣＫの入力後の１発目のユニット同期信号ＵＣＫの入力時点ではリセットされたままであり、２発目のユニット同期信号ＵＣＫの立上りでセットされる。したがって、１発目のユニット同期信号ＵＣＫはアンドゲート５５を通過せず、２発目以降のユニット同期信号ＵＣＫがアンドゲート５５を通過して後段に出力される。
【００２４】
また、フリップフロップ５３のＱ出力とフリップフロップ５４の反転Ｑ出力とがアンドゲート５６で論理積をとられる。したがって、フレーム同期信号ＦＣＫの入力後の最初のユニット同期信号ＵＣＫの立上り時点から２発目の立上り時点までの期間だけ、アンドゲート５６の出力が“１”となる。アンドゲート５６の出力が“１”になると、前段からのドット同期信号ＤＣＫがアンドゲート５７を通過してシフトレジスタ４３のクロック入力端に印加される。このときのクロック入力に同期してラッチ回路５２を経た画像データがシフトレジスタ４３にシフト入力される。
【００２５】
もう一度整理して説明する。前段からフレーム同期信号ＦＣＫが入力された後、前段から入力される最初のユニット同期信号ＵＣＫの立上り時点から２発目の立上り時点までの期間だけ、前段からのドット同期信号ＤＣＫがシフトレジスタ４３に印加され、そのクロックに同期して前段からの画像データがシフトレジスタ４３にシフト入力される。この期間には、ドット同期信号ＤＣＫの１６クロックに同期して１６ドット分＝１ユニット分の画像データが前段から入ってきている。この１ユニット分の画像データがシフトレジスタ４３に読み込まれる。
【００２６】
ここで、コンピュータ１が発するフレーム同期信号ＦＣＫの間隔期間をフレームサイクルと呼ぶ。フレームサイクルにコンピュータ１から発せられる３２発のユニット同期信号ＵＣＫについて、発生順にＵＣＫ１、ＵＣＫ２、ＵＣＫ３、……ＵＣＫ３２と呼ぶ。
コンピュータ１に一番近い１段目のランプユニットＢ１には、３２発のユニット同期信号ＵＣＫ１、ＵＣＫ２、ＵＣＫ３、……ＵＣＫ３２がすべて入力され、ＵＣＫ１〜ＵＣＫ２の期間に入力された１ユニット分の画像データがランプユニットＢ１のシフトレジスタ４３に取り込まれる。
２段目のランプユニットＢ２に対しては、ＵＣＫ１は伝達されず、ＵＣＫ２、ＵＣＫ３、ＵＣＫ４、……ＵＣＫ３２が入力され、ＵＣＫ２〜ＵＣＫ３の期間に入力された１ユニット分の画像データがランプユニットＢ２のシフトレジスタ４３に取り込まれる。
３段目のランプユニットＢ３に対しては、ＵＣＫ２も伝達されず、ＵＣＫ３、ＵＣＫ４、ＵＣＫ５、……ＵＣＫ３２が入力され、ＵＣＫ３〜ＵＣＫ４の期間に入力された１ユニット分の画像データがランプユニットＢ３のシフトレジスタ４３に取り込まれる。
そして最終段のランプユニットＢ３２に対しては、ＵＣＫ３２しか入力されず、ＵＣＫ３２の入力時点からつぎのフレームサイクルの冒頭のフレーム同期信号ＦＣＫの入力時点までの期間に入力された１ユニット分の画像データがランプユニット３２のシフトレジスタ４３に取り込まれる。
【００２７】
以上のようにして、１フレームサイクル中にコンピュータ１から直列出力された１画面分＝３２ユニット分の画像データが、３２本のランプユニットＢ１〜Ｂ３２に順番に分配されて、それぞれのシフトレジスタ４３に取り込まれる。そして、つぎのフレームサイクルの開始を告げるフレーム同期信号ＦＣＫがコンピュータ１から出力されると、全ランプユニットＢ１〜Ｂ３２において、そのフレーム同期信号ＦＣＫがラッチ回路４２のストローブ信号となり、シフトレジスタ４３の画像データがラッチ回路４２に読み込まれる。同時に、ランプＬ１〜Ｌ１６はラッチ回路４２に読み込まれた画像データに従って発光駆動される。
以上のフレームサイクルのデータ処理を高速で繰り返すことで、３２本のランプユニットＢ１〜Ｂ３２で構成された飛び飛びドット列の画面に、追跡補間式のスクロール表示が具現化する。
【００２８】
図３の実施例においては、前段からの画像データを遅延回路５１により若干遅延させ、ラッチ回路５２によりドット同期信号ＤＣＫに合せてサンプリングすることで波形整形とタイミング調整を行っている。これにより多数のランプユニットをデイジーチエーン接続してシステムを構成しても、各ユニットによりデータが正しく中継転送されるとともに、各ユニットにて自分向けのデータを正しく受け取ることができる。
【００２９】
＝＝＝発光輝度制御系の参考例＝＝＝
図２と図３に示すように、データ転送回路２から送出される点滅パルス信号ＢＣＫは、まずランプユニットＢ１に導入され、ユニットＢ１内の遅延回路６５で１周期以下の適当な位相角分だけ遅延されて送出され、つぎのランプユニットＢ２に導入され、ユニットＢ２内の遅延回路６５で同様に遅延されて送出され、つぎのランプユニットＢ３に導入される。このように全ランプユニットに対して少しずつ作為的に位相角を遅らせながら点滅パルス信号ＢＣＫを直列転送するシステム構成になっている。
【００３０】
各ランプユニットＢｉにおいては、遅延回路６５で遅延する前の点滅パルス信号ＢＣＫをドライバ４１のイネーブル端子Ｅnbに入力する。これで当該ユニットＢｉの１６個のランプＬ１〜Ｌ１６は、イネーブル端子Ｅnbの入力される点滅パルス信号ＢＣＫ（たとえは１００ＫＨｚ程度の方形波パルス）に同期して十分に短い周期で点滅駆動される。そしてコンピュータ１の制御により点滅パルス信号ＢＣＫのデューティ比を可変することで、各ランプユニットＢｉの発光輝度を適宜に調整できる。たとえば夜間と昼間とで表示輝度を変更するような操作を行う。
【００３１】
この実施例の特徴は、各ランプユニット内の遅延回路６５により少しずつ作為的に位相角を遅らせながら点滅パルス信号ＢＣＫを直列転送するシステム構成になっている点にある。これにより、３２本の各ランプユニットＢｉにてランプ駆動に利用される点滅パルス信号ＢＣＫの位相角がユニット間でランダムに異なってくる。したがって、全ランプの駆動電流が一斉に流れる期間があっても、それは点滅パルス信号ＢＣＫの１パルス幅の中のごく僅かな時間となり、駆動電流の合計値は平均化される。そのため、ランプ駆動電流のピーク値およびピーク持続時間はともに小さくなり、電源ユニット（図示省略）の容量を小さくすることができ、またランプ駆動電流パルスに起因する高周波雑音の輻射を低減できる。
【００３２】
点滅パルス信号ＢＣＫを適当に位相遅延するための遅延回路６５は、図５（ａ）の例のように抵抗やコンデンサを遅延要素とするアナログ回路に波形整形用のコンパレータを組み合わせた構成や、図５（ｂ）の例のように発振回路とフリップフロップを組み合わせたデジタル回路の構成など、いろいろに実施できる。
【００３３】
＝＝＝この発明の実施例＝＝＝
この発明の１つの実施例の要点だけを図６に示している。この実施例においては、制御ユニットからは前記デューティ規定信号としてデューティ比を任意に可変設定した指標パルス信号Ｐｄが送出される。各ランプユニットにはこの指標パルス信号Ｐｄが共通に入力される。個々のランプユニットにおいては、入力された指標パルス信号Ｐｄの周期を分周逓倍回路でＮ／Ｍ倍に変換し、その変換した信号を自ユニットの点滅パルス信号として前記ドライバのイネーブル端子に入力する。分周逓倍回路における整数値ＮおよびＭはプログラマブルであり、各ユニットにて適当な値を設定する。そうすることで、各ランプユニットでランプ駆動に利用される点滅パルス信号の周期および位相がばらばらになり、ランプ駆動電力が平均化される効果は先の実施例と同じである。制御ユニットが指標パルス信号Ｐｄのデューティ比を変えれば、これの周期をＮ／Ｍ倍に変換した点滅パルス信号のデューティ比も同じに変わるので、デューティ制御により表示輝度を調整する機能は同じである。
【００３４】
別の実施例の要点だけを図７に示している。この実施例においては、制御ユニットからは前記デューティ規定信号として直流アナログ電圧でデューティ比を表現した指標電圧信号Ｖｄが送出される。あるランプユニットに入力された指標電圧信号Ｖｄはバッファを介して次段のランプユニットに向けて出力されるとともに、電圧比較回路にも入力される。この電圧比較回路の他方の入力にはノイズ発生回路の出力が印加される。ノイズ発生回路は、所定範囲内でランダムに周波数が変化するほぼ一定振幅の非方形波信号（ノイズ波形とする）を出力する。電圧比較回路は、このノイズ波形を指標電圧信号Ｖｄをしきい値として２値化し、ランダムに周期が変化する方形波信号で、かつデューティ比が指標電圧信号Ｖｄに比例する方形波信号が出力される。この方形波信号が自ユニットの点滅パルス信号となり、自ユニットのランプ駆動に利用される。各ランプユニットにてランダムに周期変化する点滅パルス信号が生成されるので、全体としてのランプ駆動電力が平均化されるし、有害な不要輻射も大幅に低減する。もちろん指標電圧信号Ｖｄの値を変えることで各ランプユニットにおける点滅パルス信号のデューティ比が変わるので、デューティ制御により表示輝度を調整する機能は同じである。
【００３５】
【発明の効果】
この発明によれば、多数の各ランプユニットにてランプ駆動に利用される点滅パルス信号の位相角や周期がユニット間でランダムに異なってくる。したがって、全ランプの駆動電流が一斉に流れる期間があっても、それは点滅パルス信号の１パルス幅の中のごく僅かな時間となり、駆動電流の合計値は平均化される。そのため、ランプ駆動電流のピーク値およびピーク持続時間はともに小さくなり、電源ユニット（図示省略）の容量を小さくすることができ、またランプ駆動電流パルスに起因する高周波雑音の輻射を低減できる。
【図面の簡単な説明】
【図１】  この発明の一実施例における物理的画面（ａ）と仮想的画面（ｂ）とスクロール表示画面（ｃ）の模式図である。
【図２】  この発明の一実施例システムのデータ処理系の全体的な概要を示す図である。
【図３】  この発明の一実施例による１本のランプユニットの回路構成を示す図である。
【図４】  同上実施例においてデータ転送回路からデイジーチエーン接続されたランプユニットに向けて出力される信号のタイミングチャートである。
【図５】  同上実施例における遅延回路６５の２つの構成例を示す図である（参考例）。
【図６】  第１発明の実施例の要点だけを示す図である。
【図７】  第２発明の実施例の要点だけを示す図である。
【符号の説明】
Ｌ１〜Ｌ１６  ＬＥＤ集合ランプ
Ｂｉ、Ｂ１〜Ｂ３２  ポール型ランプユニット
【図１】
0004040747.tif 000002
【図２】
0004040747.tif 000003
【図３】
0004040747.tif 000004
【図４】
0004040747.tif 000005
【図５】
0004040747.tif 000006
【図６】
0004040747.tif 000007
【図７】
0004040747.tif 000008